(57)【要約】【課題】外周ブロックへの内周ブロックの挿入組み付け時に、両ブロックの当接部分に介在する液状ガスケットが位置ずれすることなく、その当接部分におけるシール性を十分に確保することができる分割型シリンダブロックにおけるシール部構造を提供する。【解決手段】外周ブロック１３のシリンダ外壁部２９の内周面３０と内周ブロック１２のシリンダライナ部２４の外周面２５との間にはウォータージャケット１７が形成される。ウォータージャケット１７の下方ではシリンダライナ部２４の下端部外面２６とシリンダ外壁部２９の下端部内面３１とが液状ガスケット３２を介在させて当接しウォータージャケット１７に対するシール部構造３３を形成する。シリンダライナ部２４の下端部外面２６の上方寄り位置には凸部２７が形成され、外周ブロック１３に対する内周ブロック１２の挿入組み付け時において液状ガスケット３２が上方へ移動するのを規制する。【選択図】      図２
2005194959.tif 000002
【特許請求の範囲】
【請求項１】
シリンダボアの形成された内周ブロックと当該内周ブロックが上方から挿入組み付けされる外周ブロックとを有してなる分割型シリンダブロックにおけるシール部構造であって、前記内周ブロックに形成されたシリンダライナ部を前記外周ブロックに形成されたシリンダ外壁部に挿入して前記両ブロックを組み付けした状態では、前記シリンダライナ部の外周面とシリンダ外壁部の内周面との間にウォータージャケットが形成されると共に、そのウォータージャケットとなる部位よりも下方で対向するシリンダライナ部の所定外周面部位とシリンダ外壁部の所定内周面部位とが液状ガスケットを介在させた状態で当接するようにした分割型シリンダブロックにおけるシール部構造において、
前記シリンダライナ部の所定外周面部位には、前記シリンダライナ部をシリンダ外壁部へ挿入した際における前記所定外周面部位と所定内周面部位との上下方向への相対移動に基づいて前記所定外周面部位と所定内周面部位との間に介在された液状ガスケットが上方へ移動するのを規制する液状ガスケット上動規制部を形成した分割型シリンダブロックにおけるシール部構造。
【請求項２】
前記シリンダ外壁部の所定内周面部位には、前記シリンダライナ部をシリンダ外壁部へ挿入した際における前記所定外周面部位と所定内周面部位との上下方向への相対移動に基づいて前記所定外周面部位と所定内周面部位との間に介在された液状ガスケットが下方へ移動するのを規制する液状ガスケット下動規制部を形成した請求項１に記載の分割型シリンダブロックにおけるシール部構造。
【請求項３】
前記液状ガスケット上動規制部は、前記シリンダライナ部の所定外周面部位に下向きの液状ガスケット移動規制面を有するように形成された凸部又は段部にて構成されている請求項１又は請求項２に記載の分割型シリンダブロックにおけるシール部構造。
【請求項４】
前記凸部又は段部は、前記シリンダ外壁部の所定内周面部位に対向する部分が上側ほど前記所定内周面部位との間の間隙を次第に狭くする斜面に形成されている請求項３に記載の分割型シリンダブロックにおけるシール部構造。
【請求項５】
前記液状ガスケット下動規制部は、前記シリンダ外壁部の所定内周面部位に上向きの液状ガスケット移動規制面を有するように形成された凸部又は段部にて構成されている請求項２〜請求項４のうち何れか一項に記載の分割型シリンダブロックにおけるシール部構造。
【請求項６】
前記凸部又は段部は、前記シリンダライナ部の所定外周面部位に対向する部分が下側ほど前記所定外周面部位との間の間隙を次第に狭くする斜面に形成されている請求項５に記載の分割型シリンダブロックにおけるシール部構造。
【発明の詳細な説明】
【技術分野】
【０００１】
本発明は、分割型シリンダブロックにおけるシール部構造に関する。
【背景技術】
【０００２】
一般に、水冷式エンジンのシリンダブロックには、シリンダ周囲に冷却水を循環させるウォータージャケットが形成されている。近時、こうしたシリンダブロックとして、シリンダボアの形成された内周ブロックと、当該内周ブロックが上方から挿入組み付けされる外周ブロックとに二分割された構成をなし、両ブロックの組み付け状態において、当該両ブロックの対向面間に前記ウォータージャケットが形成されるようにした分割型シリンダブロックが提案されている。即ち、この分割型シリンダブロックでは、前記内周ブロックを外周ブロックに挿入組み付けした場合、内周ブロックの下端部外面が、当該下端部外面と対向するように外周ブロック側に形成された対向面（例えばシリンダ外壁部の内周面）に近接配置され、当該対向面に対し液状ガスケット等の液状ガスケットを介在させた状態で当接する構成とされている。そして、その挿入組み付け状態において、前記両ブロックの当接部分の上方域に形成される間隙にて前記ウォータージャケットが構成されるようにしている。従って、このような構成をなす分割型シリンダブロックにあっては、前記ウォータージャケット内から冷却水が下方へ（例えば、クランクケース内へ）漏れないようにするために、前記両ブロックの当接部分に介在させた液状ガスケットにより形成されるシール部構造のシール性確保が非常に重要となる。
【０００３】
従来、こうした類のシール部構造として、例えば特許文献１に記載されるようなシール部構造（以下、「従来シール部構造」という。）が知られている。この従来シール部構造は、上下分割式クランクケースの上ケースと下ケースとの突き合わせ面（第１合わせ面）及び前記上下両ケースのカバー取付面とサイドカバーとの突き合わせ面（第２合わせ面）が直交して接続された三方合せ部のシール部構造を開示している。具体的には、前記第２合わせ面に臨む上下両ケースのカバー取付面のうち第２合わせ面と第１合わせ面とが直交する接続部分に液状ガスケットを溜め置きするための液溜め用凹部を形成するようにしている。そして、第１合わせ面に液状ガスケットが介在された状態において、カバー取付面にサイドカバーが液状ガスケットを介在させて水平方向から押し付けられた際には、第２合わせ面に沿って移動しようとする液状ガスケットを前記液溜まり用凹部により溜め置きするようにしている。そのため、この従来シール部構造によれば、前記液溜め用凹部から当該凹部内に溜め置きされた液状ガスケットを第１合わせ面及び第２合わせ面のそれぞれに直接供給できるので、第１合わせ面及び第２合わせ面を備えてなる三方合せ部のシール性が確保できると記載されている。
【特許文献１】特開２０００−１４５９７２号公報（請求項１、図１）
【発明の開示】
【発明が解決しようとする課題】
【０００４】
ところが、前記従来シール部構造を、分割型シリンダブロックにおける内周ブロックと外周ブロックとの挿入組み付け状態での当接部分のシール部構造に適用しようとした場合には、両ブロックの当接部分に介在させた液状ガスケットが位置ずれを起こしてしまい、所望するシール性を確保できない虞があった。即ち、この場合には、内周ブロックの下端部外面（所定外周面部位）と外周ブロックの対向面（所定内周面部位）とが液状ガスケットを介在させた近接配置状態で上下方向に相対移動した後に当接することになる。そのため、その相対移動に基づいて液状ガスケットが内周ブロックの挿入方向の基端（上方）側へ前記当接部分から薄く押し拡げられて断裂状態になることがあった。従って、こうした断裂状態になった液状ガスケットによっては、内周ブロックの下端部外面と外周ブロックの対向面との当接部分におけるシール性が十分に確保されなくなる結果、ウォータージャケット内から冷却水が下方へ漏出してしまうという事態を招いていた。
【０００５】
本発明は、こうした事情に鑑みてなされたものである。その目的は、外周ブロックへの内周ブロックの挿入組み付け時に、両ブロックの当接部分に介在する液状ガスケットが位置ずれすることなく、その当接部分におけるシール性を十分に確保することができる分割型シリンダブロックにおけるシール部構造を提供することにある。
【課題を解決するための手段】
【０００６】
以下、上記目的を達成するための手段及びその作用効果について記載する。
請求項１に記載の発明は、シリンダボアの形成された内周ブロックと当該内周ブロックが上方から挿入組み付けされる外周ブロックとを有してなる分割型シリンダブロックにおけるシール部構造であって、前記内周ブロックに形成されたシリンダライナ部を前記外周ブロックに形成されたシリンダ外壁部に挿入して前記両ブロックを組み付けした状態では、前記シリンダライナ部の外周面とシリンダ外壁部の内周面との間にウォータージャケットが形成されると共に、そのウォータージャケットとなる部位よりも下方で対向するシリンダライナ部の所定外周面部位とシリンダ外壁部の所定内周面部位とが液状ガスケットを介在させた状態で当接するようにした分割型シリンダブロックにおけるシール部構造において、前記シリンダライナ部の所定外周面部位には、前記シリンダライナ部をシリンダ外壁部へ挿入した際における前記所定外周面部位と所定内周面部位との上下方向への相対移動に基づいて前記所定外周面部位と所定内周面部位との間に介在された液状ガスケットが上方へ移動するのを規制する液状ガスケット上動規制部を形成したことを特徴とする。
【０００７】
さて、請求項１に記載の発明では、内周ブロックのシリンダライナ部を外周ブロックのシリンダ外壁部に挿入組み付けして分割型シリンダブロックを形成する際、シリンダライナ部の所定外周面部位とシリンダ外壁部の所定内周面部位とが近接した状態で上下方向に相対移動する。すると、このシリンダライナ部の所定外周面部位とシリンダ外壁部の所定内周面部位との間に介在された液状ガスケットが前記シリンダライナ部とシリンダ外壁部との相対移動に基づき内周ブロックの挿入方向基端側となる上方へ移動しようとするが、その上方への移動はシリンダライナ部の所定外周面部位に形成された液状ガスケット上動規制部により規制される。そのため、前記両ブロックを組み付けた場合には、ウォータージャケットとなる部位よりも下方で液状ガスケットを介在させて当接する関係にある前記所定外周面部位と所定内周面部位との間のシール性を前記液状ガスケット上動規制部により移動を規制されて残存する液状ガスケットにて十分に確保することができる。従って、外周ブロックへの内周ブロックの挿入組み付け時に、両ブロックの当接部分に介在する液状ガスケットが位置ずれすることなく、その当接部分におけるシール性を十分に確保することができる。
【０００８】
請求項２に記載の発明は、請求項１に記載の分割型シリンダブロックにおけるシール部構造において、前記シリンダ外壁部の所定内周面部位には、前記シリンダライナ部をシリンダ外壁部へ挿入した際における前記所定外周面部位と所定内周面部位との上下方向への相対移動に基づいて前記所定外周面部位と所定内周面部位との間に介在された液状ガスケットが下方へ移動するのを規制する液状ガスケット下動規制部を形成したことを特徴とする。
【０００９】
さて、前記外周ブロックへの内周ブロックの挿入組み付け時においてシリンダライナ部とシリンダ外壁部とが近接配置状態で上下方向へ相対移動したとき、シリンダライナ部の所定外周面部位とシリンダ外壁部の所定内周面部位との間に介在された液状ガスケットが下方へ移動しようとすることもあり得る。この点、請求項２に記載の発明では、シリンダ外壁部の所定内周面部位に形成された液状ガスケット下動規制部が前記液状ガスケットの下方への移動を規制する。従って、前記両ブロックを組み付けた場合には、ウォータージャケッとなる部位よりも下方で液状ガスケットを介在させて当接する関係にある前記所定外周面部位と所定内周面部位との間のシール性を前記液状ガスケット上動規制部及び前記液状ガスケット下動規制部の双方により移動を規制されて十分に残存する液状ガスケットによって確保することができる。
【００１０】
請求項３に記載の発明は、請求項１又は請求項２に記載の分割型シリンダブロックにおけるシール部構造において、前記液状ガスケット上動規制部は、前記シリンダライナ部の所定外周面部位に下向きの液状ガスケット移動規制面を有するように形成された凸部又は段部にて構成されていることを特徴とする。そのため、請求項３に記載の発明によれば、シリンダライナ部とシリンダ外壁部との相対移動に基づいて前記シリンダライナ部の所定外周面部位とシリンダ外壁部の所定内周面部位との間から上方へ移動しようとする液状ガスケットを液状ガスケット上動規制部を構成する凸状部又は段部の液状ガスケット移動規制面により確実に堰き止めることができる。
【００１１】
請求項４に記載の発明は、請求項３に記載の分割型シリンダブロックにおけるシール部構造において、前記凸部又は段部は、前記シリンダ外壁部の所定内周面部位に対向する部分が上側ほど前記所定内周面部位との間の間隙を次第に狭くする斜面に形成されていることを特徴とする。そのため、請求項４に記載の発明によれば、液状ガスケットは、前記シリンダ外周壁の所定内周面部位と当該所定内周面部位に対向する前記凸部又は段部の部分との間の間隙を通って上方へ移動しようとしても、移動経路となる前記間隙が上側ほど次第に狭くなっているため、移動抵抗が次第に高まって確実に移動規制される。
【００１２】
請求項５に記載の発明は、請求項２〜請求項４のうち何れか一項に記載の分割型シリンダブロックにおけるシール部構造において、前記液状ガスケット下動規制部は、前記シリンダ外壁部の所定内周面部位に上向きの液状ガスケット移動規制面を有するように形成された凸部又は段部にて構成されていることを特徴とする。そのため、請求項５に記載の発明によれば、シリンダライナ部とシリンダ外壁部との相対移動に基づいて前記シリンダライナ部の所定外周面部位とシリンダ外壁部の所定内周面部位との間から下方へ移動しようとする液状ガスケットを液状ガスケット下動規制部を構成する凸部又は段部の液状ガスケット移動規制面により確実に堰き止めることができる。
【００１３】
請求項６に記載の発明は、請求項５に記載の分割型シリンダブロックにおけるシール部構造において、前記凸部又は段部は、前記シリンダライナ部の所定外周面部位に対向する部分が下側ほど前記所定外周面部位との間の間隙を次第に狭くする斜面に形成されていることを特徴とする。そのため、請求項６に記載の発明によれば、液状ガスケットは、前記シリンダライナ部の所定外周面部位と当該所定外周面部位に対向する前記凸部又は段部の部分との間の間隙を通って下方へ移動しようとしても、移動経路となる前記間隙が下側ほど次第に狭くなっているため、移動抵抗が次第に高まって確実に移動規制される。
【発明を実施するための最良の形態】
【００１４】
以下、本発明を水冷式エンジンの分割型シリンダブロックにおけるシール部構造に具体化した一実施形態を図１及び図２に従って説明する。
図１（ａ）（ｂ），図２に示すように、本実施形態におけるシリンダブロック１０は、複数（本実施形態では４つ）のシリンダボア１１が形成された内周ブロック１２と、当該内周ブロック１２が上方から挿入組み付けされる外周ブロック１３とに分割された分割型シリンダブロックとして構成されている。内周ブロック１２を外周ブロック１３に挿入組み付けした状態では、その内周ブロック１２上にシリンダヘッド１４がガスケット１５を介して載置される。そして、その載置状態にあるシリンダヘッド１４がボルト１６によりシリンダブロック１０側に締め付け固定されることで、シリンダボア１１の周囲に冷却水が流通するウォータージャケット１７を有してなる水冷式エンジン１８の本体部が組み立てられる。
【００１５】
前記内周ブロック１２の上部には、シリンダヘッド１４の載置部となるアッパデッキ部１９が形成されている。アッパデッキ部１９には、前記ボルト１６を挿通するためのボルト挿通孔２０が形成される他、オイル孔２１、ブローバイガス孔２２、冷却水孔２３等が形成されている。アッパデッキ部１９の下側には前記シリンダボア１１の周壁となるシリンダライナ部２４が形成されている。シリンダライナ部２４は、各気筒のシリンダライナとなる４つの円筒体を連続して繋げた形状に形成されており、それら各円筒体の外面にて形成されるシリンダライナ部２４の外周面２５は前記ウォータージャケット１７に対する内周側壁面を構成する。
【００１６】
また、シリンダライナ部２４の下端部外面（所定外周面部位）２６には、当該下端部外面２６の上方寄り位置に液状ガスケット上動規制部として機能する凸部２７がシリンダライナ部２４の外周面２５に沿って環状に繋がるように突出形成されている。この凸部２７は、断面矩形状をなすように形成されており、その下面２７ａは、シリンダライナ部２４の下端部外面２６に沿って上方へ移動しようとする流動物質（例えば、液状ガスケット）の移動（上動）を堰き止め可能な下向きの液状ガスケット移動規制面として機能するように構成されている。
【００１７】
前記外周ブロック１３の下部には、側面視略スカート形状をなすクランクケース部２８が形成されている。クランクケース部２８の上側には、前記内周ブロック１２のシリンダライナ部２４が上方から挿入組み付けされるシリンダ外壁部２９が形成されている。シリンダ外壁部２９の内周面３０は、当該内周面３０が対向する前記シリンダライナ部２４の外周面２５に対応した略環状をなすように形成されており、前記ウォータージャケット１７に対する外周側壁面を構成する。なお、シリンダ外壁部２９の側面にはウォータージャケット１７に連通する冷却水口２９ａが形成されている。また、図示は省略するが、シリンダ外壁部２９の上端部には、前記内周ブロック１２のアッパデッキ部１９に形成されたボルト挿通孔２０、オイル孔２１、ブローバイガス孔２２と各々対応する位置に、ボルト締結穴、オイル通路、ブローバイガス通路が形成されている。
【００１８】
また、シリンダ外壁部２９は、その内周面３０のうち前記シリンダライナ部２４の下端部外面２６と対向することになる下端部内面（所定内周面部位）３１が、当該下端部内面３１よりも上方でウォータージャケット１７の内周側壁面となる内周面３０の部位よりも内方側へ膨出形成されている。そして、内周ブロック１２を外周ブロック１３に挿入組み付けした状態においては、シリンダライナ部２４の下端部外面２６とシリンダ外壁部２９の下端部内面３１とが、前記ウォータージャケット１７となる部位よりも下方で近接配置状態とされ、液状ガスケット３２を介在させて当接することで、シール部構造３３が形成されている。
【００１９】
そこで次に、上記のように構成された水冷式エンジン１８の分割型シリンダブロック１０におけるシール部構造３３の作用について説明する。
さて、上記の分割型シリンダブロック１０を形成する際には、予め内周ブロック１２のシリンダライナ部２４の下端部外面２６（凸部２７の下側部位）に液状ガスケット３２が塗布される。そして、その内周ブロック１２のシリンダライナ部２４を外周ブロック１３のシリンダ外壁部２９に挿入組み付けすると、シリンダライナ部２４の下端部外面２６とシリンダ外壁部２９の下端部内面３１とが近接した状態で上下方向に相対移動する。そのため、このシリンダライナ部２４とシリンダ外壁部２９との相対移動に基づき、シリンダライナ部２４の下端部外面２６とシリンダ外壁部２９の下端部内面３１との間に介在された液状ガスケット３２は、内周ブロック１２の挿入方向基端側となる上方へ移動しようとする。即ち、シリンダライナ部２４の下端部外面２６に塗布された液状ガスケット３２は擦れ違うように上方へ移動するシリンダ外壁部２９の下端部内面３１に付着して引っ張られるように上方へ移動しようとする。
【００２０】
ところが、シリンダライナ部２４の下端部外面２６の上方寄り位置には液状ガスケット上動規制部として機能する凸部２７が形成されているため、その上方への移動は前記凸部２７により規制される。もし仮に、シリンダライナ部２４の下端部外面２６に前記凸部２７が形成されていないとしたならば、前記液状ガスケット３２は、シリンダ外壁部２９の下端部内面３１に付着して上方へ引っ張られ、塗布状態が薄く押し拡げられて断裂状態になってしまう。そのため、シリンダライナ部２４の下端部外面２６とシリンダ外壁部２９の下端部内面３１の間にはシール性を阻害する隙間ができてしまう虞がある。
【００２１】
これに対し、本実施形態の場合は、そのように上方へ移動しようとする液状ガスケット３２に対して前記凸部２７の下面２７ａが堰き止め作用を果たすため、そのような液状ガスケット３２の上方への移動が確実に規制される。その結果、ウォータージャケット１７となる部位よりも下方で液状ガスケット３２を介在させて当接する関係にあるシリンダライナ部２４の下端部外面２６とシリンダ外壁部２９の下端部内面３１との間には、前記液状ガスケット３２が十分に残存するため、ウォータージャケット１７に対するシール部構造３３のシール性が確保される。
【００２２】
上記実施形態のシール部構造３３によれば、以下のような効果を得ることができる。
（１）シリンダライナ部２４の下端部外面２６に液状ガスケット上動規制部として機能する凸部２７が形成されているため、外周ブロック１３に内周ブロック１２を挿入組み付けした際に、シリンダライナ部２４の下端部外面２６に塗布された液状ガスケット３２が上方へ移動することを規制できる。従って、ウォータージャケット１７となる部位よりも下方では、シリンダライナ部２４の下端部外面２６とシリンダ外壁部２９の下端部内面３１とが液状ガスケット３２を十分に介在させて当接することになり、そのように残存する液状ガスケット３２により分割型シリンダブロック１０のシール部構造３３のシール性を十分に確保することができる。
【００２３】
（２）また、液状ガスケット上動規制部として機能する前記凸部２７は断面略矩形状をなしており、その下面２７ａが液状ガスケット３２の上方への移動に対して堰き止め作用を果たす液状ガスケット移動規制面として機能する。そのため、シリンダライナ部２４の下端部外面２６と擦れ違うように上方に移動するシリンダ外壁部２９の下端部内面３１に引っ張られて上方へ移動しようとする液状ガスケット３２を確実に凸部２７の下面２７ａによって堰き止めることができる。
【００２４】
なお、上記実施形態は以下のように別の実施形態（別例）に変更してもよい。
・  図３（ａ）に示すように、シリンダ外壁部２９の下端部内面３１の下方寄り位置に液状ガスケット３２が下方へ移動するのを規制する凸部３４を液状ガスケット下動規制部として内方へ向け突出形成してもよい。この場合は、その凸部３４の上面３４ａが上向きの液状ガスケット移動規制面として機能し、液状ガスケット３２が下方へ押し出されるように移動するのを堰き止める。従って、内周ブロック１２を外周ブロック１３に挿入組み付けした場合において、シリンダライナ部２４の下端部外面２６とシリンダ外壁部２９の下端部内面３１との間に介在された液状ガスケット３２が上方のみならず下方へ移動しようとすることをも確実に規制でき、より一層、シール部構造３３のシール性を良好に確保できる。
【００２５】
・  また、図３（ｂ）に示すように、シリンダライナ部２４の下端部外面２６に対向する部分であるシリンダ外壁部２９の下端部内面３１を下側ほど前記シリンダライナ部２４の下端部外面２６との間の間隙を次第に狭くする斜面に形成してもよい。このようにした場合には、シリンダライナ部２４の下端部外面２６とシリンダ外壁部２９の下端部内面３１との間の間隙から液状ガスケット３２が下方へ移動しようとする際に、その間隙が次第に狭くなっていることから、移動抵抗を次第に高めて確実に移動規制できる。
【００２６】
・  同じく、図３（ｂ）に示すように、シリンダライナ部２４の下端部外面２６の上方寄り位置に液状ガスケット上動規制部として機能する段部３５を形成し、当該段部３５の下面３５ａが下向きの液状ガスケット移動規制面として機能するように構成してもよい。このようにした場合にも、液状ガスケット上動規制部を凸部２７で構成した場合と同様の作用効果を得ることができる。
【００２７】
・  なお、図３（ｂ）のシール部構造を、シリンダライナ部２４の下端部外面２６を上側ほどシリンダ外壁部２９の下端部内面３１との間の間隙を次第に狭くする斜面に形成する一方、シリンダ外壁部２９の下端部内面３１の下方寄り位置に液状ガスケット下動規制部として機能する段部を形成するようにしてもよい。
【００２８】
・  また、図３（ｃ）に示すように、シリンダ外壁部２９の下端部内面３１の下方寄り位置に液状ガスケット３２が下方へ移動するのを規制する凸部（液状ガスケット下動規制部）３４をシリンダライナ部２４の下端部の下側まで延びるように内方へ向け突出形成してもよい。このようにした場合には、上向きの液状ガスケット移動規制面として機能する凸部３４の上面３４ａが長くなるため、より一層、液状ガスケット３２が下方へ移動することを確実に規制できる。
【００２９】
・  同じく、図３（ｃ）に示すように、シリンダライナ部２４の凸部２７を上下方向へ長く形成し、その凸部２７のうちシリンダ外壁部２９の下端部内面３１に対向する部分となる先端面２７ｂを上側ほど前記シリンダ外壁部２９の下端部内面３１との間の間隙を次第に狭くする斜面に形成してもよい。このようにした場合には、シリンダライナ部２４の下端部外面２６とシリンダ外壁部２９の下端部内面３１との間の間隙から液状ガスケット３２が上へ移動しようとする際に、その間隙が次第に狭くなっていることから、移動抵抗を次第に高めて確実に移動規制できる。
【図面の簡単な説明】
【００３０】
【図１】（ａ）は分割型シリンダブロックの斜視図、（ｂ）はその正面図。
【図２】図１（ｂ）のＡ−Ａ線矢視断面図。
【図３】（ａ）（ｂ）（ｃ）はそれぞれシール部構造の別実施形態の一部拡大断面図。
【符号の説明】
【００３１】
１０…分割型シリンダブロック、１１…シリンダボア、１２…内周ブロック、１３…外周ブロック、１７…ウォータージャケット、２４…シリンダライナ部、２５…シリンダライナ部の外周面、２６…シリンダライナ部の下端部外面（所定外周面部位）、２７…凸部（液状ガスケット上動規制部）、２７ａ…凸部の下面（液状ガスケット移動規制面）、２７ｂ…凸部の先端面（斜面）、２９…シリンダ外壁部、３０…シリンダ外壁部の内周面、３１…シリンダ外壁部の下端部内面（所定内周面部位）、３２…液状ガスケット、３３…シール部構造、３４…凸部（液状ガスケット下動規制部）、３４ａ…凸部の上面（液状ガスケット移動規制面）、３５…段部（液状ガスケット上動規制部）、３５ａ…段部の下面（液状ガスケット移動規制面）。
【図１】
2005194959.tif 000003
【図２】
2005194959.tif 000004
【図３】
2005194959.tif 000005